(57)【特許請求の範囲】
【請求項１】
１枚のブランクを組み立てて形成された直方体形状のカートンであって、下記事項を具備してなる振出口付きカートン。
（ａ）背面パネルの上縁に回動自在に連設された天面パネル。
（ｂ）天面パネルの前縁に連設され、前面パネルの内側に位置し、振出孔が穿設された内面パネル。
（ｃ）内面パネルの前縁に連設され、前面パネルの内側に位置するスライドパネル。
（ｄ）スライドパネルの両サイドにそれぞれ連設され、各側面パネルの内側に位置する一対の係止パネル。
（ｅ）両側の側面パネルの上縁にそれぞれ連設され、天面パネルの内側に折り曲げられた一対のフラップ片。
（ｆ）内面パネルを天面パネルに対して折り曲げた時に、振出孔の一辺により天面パネルの先端に形成された突出部分。
（ｇ）内面パネルにおける天面パネル側の両端に形成された係止溝と、天面パネルの内側に折り曲げられた各フラップ片における前面パネル側の根元に形成された凸部。
【請求項２】
１枚のブランクを組み立てて形成された直方体形状のカートンであって、下記事項を具備してなる振出口付きカートン。
（ａ）背面パネルの上縁に回動自在に連設され、両サイドに若干突き出た形状の天面パネル。
（ｂ）天面パネルの前縁に連設され、前面パネルの内側に位置し、振出孔が穿設された内面パネル。
（ｃ）内面パネルの前縁に連設され、前面パネルの内側に位置するスライドパネル。
（ｄ）スライドパネルの両サイドに連設され、側面パネルの内側に位置し、上部が三角状に突き出た一対の係止パネル。
（ｅ）係止パネルをスライドパネルに対して折り曲げた時に、スライドパネルの先端両側に形成された凸部。
【発明の詳細な説明】
【０００１】
【産業上の利用分野】
本発明は、キャンデー、ガム、チョコレート等の粒状の菓子類やその他の粒状商品を収納し、これを振り出して小出しすることのできる振出口付きカートンに関するものである。
【０００２】
【従来の技術】
従来、この種の振出口付きカートンの一つとして、図７に示すように、背面パネル４１に連設した天面パネル４２を後上方へ回動させることにより、内面パネル４３を上方にスライドさせその振出孔４３ａを露出させて内容物を振り出すようにした直方体形状のカートンＣが知られている。そして、この振出口付きカートンＣでは、内面パネル４３の下端両サイドに設けた係止突起４３ｂを、各側面パネル４４，４５の上縁から内側に折り曲げた一対のフラップ片４６，４７に引っ掛けることで内面パネル４３の抜け出しを防止するようになっている。
【０００３】
【発明が解決しようとする課題】
上述した従来の振出口付きカートンＣは、板紙からなる１枚のブランクで組み立てられるのでプラスチック製のケースに比べて簡便であり製造コストが低いという利点があるものの、天面パネル４２を回動させて開け閉めを何度も繰り返すと内面パネル４３の下端両サイドに設けた係止突起４３ｂ，４３ｂが弱くなり、ついにはフラップ片４６，４７と引っ掛からなくなって内面パネル４３が外れてしまい、振出口を確実に形成できないという問題点があった。
【０００４】
本発明は、上記のような問題点に鑑みてなされたものであり、その目的とするところは、天面パネルの回動による開け閉めを繰り返しても、内面パネルが外れることなく確実に振出口を形成することのできる振出口付きカートンを提供することにある。
【０００５】
【課題を解決するための手段】
上記の目的を達成するために、本発明に係る振出口付きカートンの第１のタイプは、１枚のブランクを組み立てて形成された直方体形状のカートンに下記事項を具備させたものである。
（ａ）背面パネルの上縁に回動自在に連設された天面パネル。
（ｂ）天面パネルの前縁に連設され、前面パネルの内側に位置し、振出孔が穿設された内面パネル。
（ｃ）内面パネルの前縁に連設され、前面パネルの内側に位置するスライドパネル。
（ｄ）スライドパネルの両サイドにそれぞれ連設され、各側面パネルの内側に位置する一対の係止パネル。
（ｅ）両側の側面パネルの上縁にそれぞれ連設され、天面パネルの内側に折り曲げられた一対のフラップ片。
（ｆ）内面パネルを天面パネルに対して折り曲げた時に、振出孔の一辺により天面パネルの先端に形成された突出部分。
（ｇ）内面パネルにおける天面パネル側の両端に形成された係止溝と、天面パネルの内側に折り曲げられた各フラップ片における前面パネル側の根元に形成された凸部。
【０００６】
また、同様の目的を達成するために、本発明に係る振出口付きカートンの第２のタイプは、１枚のブランクを組み立てて形成された直方体形状のカートンに下記事項を具備させたものである。
（ａ）背面パネルの上縁に回動自在に連設され、両サイドに若干突き出た形状の天面パネル。
（ｂ）天面パネルの前縁に連設され、前面パネルの内側に位置し、振出孔が穿設された内面パネル。
（ｃ）内面パネルの前縁に連設され、前面パネルの内側に位置するスライドパネル。
（ｄ）スライドパネルの両サイドに連設され、側面パネルの内側に位置し、上部が三角状に突き出た一対の係止パネル。
（ｅ）係止パネルをスライドパネルに対して折り曲げた時に、スライドパネルの先端両側に形成された凸部。
【０００７】
【作用】
第１のタイプの振出口付きカートンでは、天面パネルを後上方に回動させた時に、スライドパネル両サイドの係止パネルがそれぞれフラップ片に当接することによりスライドパネルの抜け出しが防止される。また、第２のタイプの振出口付きカートンでは、天面パネルを後上方に回動させた時に、スライドパネル両サイドの係止パネルがそれぞれ天面パネルと内面パネルの折れ曲がった内面に当接することによりスライドパネルの抜け出しが防止される。
【０００８】
【実施例】
以下、本発明の実施例について図面を参照して説明する。
【０００９】
図１は本発明に係る第１のタイプの振出口付きカートンの一実施例を示す斜視図であり、この振出口付きカートンＣは図２にその展開図を示す板紙製のブランクＢを組み立てて形成されている。
【００１０】
図２のブランクＢにおいて１は背面パネルであり、その左側に折線ａ，ｂ，ｃを介して左側面パネル２、前面パネル３及び接着パネル４が順次連設され、右側に折線ｄを介して右側面パネル５が連設されている。背面パネル１の上方には折線ｅ，ｆ，ｇを介して天面パネル６、内面パネル７及びスライドパネル８がこの順で連設されており、スライドパネル８にはその両サイドに折線ｈ，ｉを介して係止パネル９，１０がそれぞれ連設されている。内面パネル７にはその中央に振出孔７ａが穿設されており、この振出孔７ａの下縁は折線ｆより若干上方にあって、内面パネル７を折線ｆで折り曲げた時に天面パネル６の先端中央に突出部分を形成するようになっている。また、折線ｆの両端には若干上方にずれた位置に切込が設けられており、内面パネル７を折線ｆで折り曲げた時に内面パネル７の両端に係止溝を形成するようになっている。一方、背面パネル１の下方には折線ｊ，ｋを介して底面パネル１１及び差込み片１２が連設され、さらに左側面パネル２の上下にはそれぞれフラップ片１３，１４が、右側面パネル５の上下にはそれぞれフラップ片１５，１６が連設されている。
【００１１】
このブランクＢを組み立てるに際しては、まず接着パネル４を右側面パネル５の内面に接着するようにサック貼りし、背面パネル１、左側面パネル２、前面パネル３及び右側面パネル５を角筒状に起こして胴部を形成する。次いで、係止パネル９，１０を折線ｈ，ｉで内側に折り曲げた状態で、内面パネル７及びスライドパネル８をそれぞれ折線ｆ，ｇで折り曲げながらスライドパネル８を胴部の中に少しだけ差し込んだ後、天面パネル６と内面パネル７の両サイドに形成された三角状の開口に左側面パネル２のフラップ片１３及び右側面パネル５のフラップ片１５を挿入しながら天面パネル６を折線ｅで折り曲げつつ内面パネル７及びスライドパネル８を胴部の中に挿入する。このようにして上部を閉鎖すると、天面パネル６の先端中央にある突出部分が前面パネル３の上縁に当接するので天面パネル６が胴部内に落ち込むことがなく、また内面パネル７の両端にある係止溝がフラップ片１３，１５の根元にある凸部１３ａ，１５ａに引っ掛かるので不用意に外れることがない。この状態で内容物を充填した後、左側面パネル２のフラップ片１４及び右側面パネル５のフラップ片１６を内側に折り込んでから、底面パネル１１と差込み片１２をそれぞれ折線ｊ，ｋで折り曲げながら差込み片１２を胴部内に挿入し、底面パネル１１により底部を閉鎖して図１に示す振出口付きカートンＣを形成する。
【００１２】
中身を取り出すに際しては、天面パネル６の突出部分に指先を押し当てて天面パネル６を後上方に回動させる。これにより内面パネル７及びスライドパネル８が牽引され、図３に示すように内面パネル７の振出孔７ａが露出することになりこの振出孔７ａから内容物を振り出すことができる。この時、スライドパネル８の両サイドの係止パネル９，１０がそれぞれフラップ片１３，１５に当接するので繰り返し開け閉めしてもスライドパネル８が抜け出ることがない。
【００１３】
図４は本発明に係る第２のタイプの振出口付きカートンの一実施例を示す斜視図であり、この振出口付きカートンＣは図５にその展開図を示す板紙製のブランクＢを組み立てて形成されている。
【００１４】
図５のブランクＢにおいて２１は背面パネルであり、その上方に折線ａ，ｂ，ｃを介して天面パネル２２，内面パネル２３及びスライドパネル２４がこの順で連設され、下方に折線ｄ，ｅを介して底面パネル２５及び前面パネル２６がこの順で連設され、左右に折線ｆ，ｇを介して接着パネル２７，２８がそれぞれ連設されている。さらに、スライドパネル２４の左右には折線ｈ，ｉを介して下部が三角状に突き出た係止パネル２９，３０がそれぞれ連設され、底面パネル２５の左右には折線ｊ，ｋを介して係止フラップ片３１，３２がそれぞれ連設され、前面パネル２６の左右には折線ｌ，ｍを介して左側面パネル３３及び右側面パネル３４がそれぞれ連設されている。天面パネル２２は両サイドに若干突き出た形状をしており、内面パネル２３はその上辺で僅かに狭くなっており、スライドパネル２４はこの短くなった上辺に連設されている。そして、内面パネル２３にはその中央に振出孔２３ａが穿設されており、この振出孔２３ａの下縁は折線ｂより若干上方にあって、内面パネル２３を折線ｂで折り曲げた時に天面パネル２２の先端中央に突出部分を形成するようになっている。また、係止パネル２９，３０の折線ｈ，ｉは外側に膨らんだ切込をその上端に備え、折り曲げた時にスライドパネル２４の両側に凸部を形成するようになっており、接着パネル２７，２８の下部には係止フラップ片３１，３２を係止させるための切込２７ａ，２８ａがそれぞれ設けられている。
【００１５】
このブランクＢを組み立てるに際しては、まず接着パネル２７，２８を折線ｆ，ｇでそれぞれ起立状態に折り曲げた状態とし、底面パネル２５を折線ｄで折り曲げ係止フラップ片３１，３２を接着パネル２７，２８の外側からそれぞれ切込２７ａ，２８ａに差し込んで係止する。次いで、係止パネル２９，３０を折線ｈ，ｉでそれぞれ起立状態に折り曲げた状態とし、この係止パネル２９，３０が接着パネル２７，２８の内側になるように、天面パネル２２を折線ａで内面パネル２３とスライドパネル２４を折線ｂで内側に折り曲げる。この場合、スライドパネル２４の両側にある凸部が接着パネル２７，２８の側端縁に当接し、天面パネル２２における両サイドの突き出た部分が接着パネル２７，２８の上端縁に当接する。そして、内面パネル２３及びスライドパネル２４を押さながら蓋をするようにして前面パネル２６を折線ｅで折り曲げ、左側面パネル３３及び右側面パネル３４を折線ｌ，ｍでそれぞれ折り曲げてその内面を接着パネル２７，２８の外面にそれぞれ接着することにより図４に示す振出口付きカートンＣを形成する。なお、内容物は前面パネル２６で蓋をする前の段階で充填する。
【００１６】
中身を取り出すに際しては、天面パネル２２の突出部分に指先を押し当てて天面パネル２２を後上方に回動させる。これにより内面パネル２３及びスライドパネル２４が牽引され、図６に示すように内面パネル２３の振出孔２３ａが露出することになりこの振出孔２３ａから内容物を振り出すことができる。この時、スライドパネル２４の両サイドの係止パネル２９，３０における三角状に突き出た上部がそれぞれ天面パネル２２と内面パネル２３の折れ曲がった内面に当接するので繰り返し開け閉めしてもスライドパネル２４が抜け出ることがない。また、天面パネル２２における両サイドが突き出ており、この部分が左側面パネル３３及び右側面パネル３４の上縁に当接するので、閉じた時に天面パネル２２が落ち込むことがない。また、スライドパネルの先端両側にある凸部が胴部の内面側壁に当接するのでスライドパネルの移動が安定する。しかもこのタイプのものでは、振出孔２３ａを露出させた時に天面パネル２２と内面パネル２３により形成される側方の窓が係止パネル２９，３０の上部により閉じられることになるので、ここから内容物が出るようなことがない。
【００１７】
なお、上記の各実施例において、胴部のパネル構成はいずれのタイプでも採用できることは言うまでもない。
【００１８】
【発明の効果】
本発明は上述のとおり構成されているので、次に記載する効果を奏する。
【００１９】
請求項１の振出口付きカートンにおいては、天面パネルを後上方に回動させた時に、スライドパネル両サイドの係止パネルがそれぞれ側面パネル上縁に連設したフラップ片に当接することによりスライドパネルの抜け出しを確実に防止するので、内面パネルが外れることなく確実に振出口を形成することができる。しかも、天面パネルの先端中央にある突出部分が前面パネルの上縁に当接するので天面パネルが胴部内に落ち込むことがなく、内面パネルの両端にある係止溝がフラップ片の根元にある凸部に引っ掛かるので不用意に外れることがない。
【００２０】
請求項２の振出口付きカートンにおいては、天面パネルを後上方に回動させた時に、スライドパネル両サイドの係止パネルがそれぞれ天面パネルと内面パネルの折れ曲がった内面に当接することによりスライドパネルの抜け出しを確実に防止するので、内面パネルが外れることなく確実に振出口を形成することができる。しかも、スライドパネルの先端両側にある凸部が胴部の内面側壁に当接するのでスライドパネルの移動が安定する。また、振出口を形成した時に、天面パネルと内面パネルにより形成される側方の窓が塞がれるのでここから内容物が溢れるのを防止できる。
【図面の簡単な説明】
【図１】本発明に係る第１のタイプの振出口付きカートンの一実施例を示す斜視図である。
【図２】図１の振出口付きカートンを形成するブランクの展開図である。
【図３】図１に示す振出口付きカートンにおいて振出口を露出させた状態を示す斜視図である。
【図４】本発明に係る第２のタイプの振出口付きカートンの一実施例を示す斜視図である。
【図５】図４の振出口付きカートンを形成するブランクの展開図である。
【図６】図４に示す振出口付きカートンにおいて振出口を露出させた状態を示す斜視図である。
【図７】振出口を露出させた状態で示す従来の振出口付きカートンの斜視図である。
【符号の説明】
Ｂ  ブランク
Ｃ  振出口付きカートン
１  背面パネル
３  前面パネル
４，５  側面パネル
６  天面パネル
７  内面パネル
７ａ  振出孔
８  スライドパネル
９，１０  係止パネル
１３，１５  フラップ片
２１  背面パネル
２２  天面パネル
２３  内面パネル
２３ａ  振出孔
２４  スライドパネル
２９，３０  係止パネル
【図１】
0003815624.tif 000002
【図２】
0003815624.tif 000003
【図３】
0003815624.tif 000004
【図４】
0003815624.tif 000005
【図５】
0003815624.tif 000006
【図６】
0003815624.tif 000007
【図７】
0003815624.tif 000008